(57)【要約】  金型及びこの金型を用いたメッシュ一体型フィルターの製造方法に関する。下部ボディー１１０と、下部ボディーから上方側に突出するように設けられた突出ピン１２０と、下部ボディーにスライド自在に設けられ、前進することで突出ピンの周囲を取り囲む複数のスライダー１３０と、各スライダーの上方を覆うように設けられ、突出ピンとスライダーとの間の隙間に樹脂液が注入される注入孔１４２が形成された上部ボディー１４０と、樹脂液の硬化の際にメッシュ一体型フィルター２を形成するための成形部１５０と、を含む。金型の閉状態でメッシュ一体型フィルターが形成され、メッシュとフィルターとを個別に組み立てる工程を省略することで生産性が向上する。【選択図】図１
2013545645.tif 000002
【特許請求の範囲】
【請求項１】
下部ボディー、
前記下部ボディーから上方側に突出するように設けられた突出ピン、
前記下部ボディーにスライド自在に設けられて前進し、前記突出ピンの周囲を取り囲む複数のスライダー、
前記各スライダーの上方を覆うように備えられ、前記突出ピンと前記スライダーとの間に樹脂液が注入されるように注入孔が形成された上部ボディー、及び
樹脂液の硬化の際にメッシュ一体型フィルターを形成するための成形部、を備える、ことを特徴とする金型。
【請求項２】
前記成形部は、
前記突出ピンの軸方向に沿って、その周面から互いに平行に並んで突出した縦ストリップ、及び
前記各スライダーの内側面から前記縦ストリップと傾斜するように突出し、前記縦ストリップと接近する横ストリップ、を備える、ことを特徴とする請求項１に記載の金型。
【請求項３】
前記各スライダーは、前記メッシュ一体型フィルターを軸方向で補強するための補強リブが形成されるように、前記突出ピンの周方向に空間を画成する、ことを特徴とする請求項２に記載の金型。
【請求項４】
前記各スライダーには、樹脂液の流動性を確保するために、前記突出ピンの周方向に前記横ストリップが不連続的に形成されている、ことを特徴とする、請求項２又は３に記載の金型。
【請求項５】
前記各横ストリップの両端部に曲面部が形成されている、ことを特徴とする、請求項２又は３に記載の金型。
【請求項６】
前記各スライダーには、複数のスライド板が上下に積層されて固定されることで、前記横ストリップが配列されている、ことを特徴とする、請求項２又は３に記載の金型。
【請求項７】
前記突出ピンは、上方側から下方側に向けて徐々に大きくなる外径を有する形状に形成されている、ことを特徴とする、請求項１乃至３のいずれか１項に記載の金型。
【請求項８】
前記突出ピンは、前記下部ボディーに昇降可能に設けられている、ことを特徴とする請求項１乃至３のいずれか１項に記載の金型。
【請求項９】
下部ボディーから上方側に突出した突出ピンを取り囲むように、成形型のスライダーを前進させること、
前記突出ピンと、前記スライダーの上面と、に接触するように、前記成形型の上部ボディーを下降させることと、
前記上部ボディーに貫通形成された注入孔を通して樹脂液を注入し、前記突出ピンと前記スライダーとの間の隙間を樹脂液で充填することと、
樹脂液を硬化させ、互いに近接する前記突出ピンの縦ストリップと前記スライダーの横ストリップとによってメッシュ一体型フィルターを形成することと、を備える、ことを特徴とするメッシュ一体型フィルターの製造方法。
【請求項１０】
樹脂液の硬化後に、前記上部ボディーと前記スライダーとを移動させることと、
前記突出ピンを前記下部ボディーの下方側に下降させることで前記突出ピンから前記メッシュ一体型フィルターを分離させることと、をさらに備えることを特徴とする、請求項９に記載のメッシュ一体型フィルターの製造方法。
【発明の詳細な説明】
【技術分野】
【０００１】
本発明は、メッシュ一体型フィルターに関し、より詳細には、閉状態でメッシュ一体型フィルターを製造することができ、メッシュとフィルターとを個別に組み立てる工程を省略することで生産性を向上できる、金型及びこの金型を用いたメッシュ一体型フィルターの製造方法に関する。
【背景技術】
【０００２】
一般的な車両用アンチロックブレーキシステム（ＡＢＳ）は、車輪のスリップを検知し、車輪に加えられる制動圧力を制御することで制動中における車輪のロック現象を防止する。
【０００３】
その車両用アンチロックブレーキシステムによって、制動中に車輪を滑らせないことで方向性を維持しながら、安全に制動が行えるようにする。このようなブレーキシステムは、制動圧力の制御のためにブレーキ油圧ラインの流路を開閉する多数のソレノイドバルブを備える。各ソレノイドバルブは、通常開放状態を維持するノーマルオープン（Ｎｏｒｍａｌ Ｏｐｅｎ）型ソレノイドバルブと、通常閉鎖状態を維持するノーマルクローズ（Ｎｏｒｍａｌ Ｃｌｏｓｅ）型ソレノイドバルブと、が含まれる。
【０００４】
ソレノイドバルブは、モジュレーターブロックのボアに圧入されて設置され、流体が流れる入口と出口とを有する中空のバルブハウジングを備える。バルブハウジングの一端には、バルブハウジングの内部に設置されるアーマチャ（電機子）が前後移動可能なように円筒状スリーブが連結され、スリーブの開放端部には、スリーブの開放部を閉鎖しながら、アーマチャを進退させるためのバルブコアが連結される。アーマチャは、前後運動を通してバルブシートのオリフィスを開閉する。この開閉のため、アーマチャは、バルブハウジングの中空部を通ってバルブシート側に延長された閉止部を備える。
【０００５】
また、バルブハウジングの外側には、フィルターを有するフィルター組立体が設置されている。
【０００６】
フィルター組立体を有するソレノイドバルブについては、特許文献１（発明の名称：ソレノイドバルブ）に記載されている。
【先行技術文献】
【特許文献】
【０００７】
【特許文献１】韓国登録特許第１０―１００９２６６号公報
【発明の概要】
【発明が解決しようとする課題】
【０００８】
従来のソレノイドバルブ用フィルター組立体は、網（ｍｅｓｈ）の一部を取り囲むように、射出物を射出して網と組み立てるので、組立が煩雑かつ困難であり、組立不良をもたらすという問題がある。したがって、これを改善することが必要である。
【０００９】
本発明は、上述したような問題点を改善するためになされたもので、金型の閉状態でメッシュ一体型フィルターを製造することができ、メッシュとフィルターとを個別に組み立てる工程を省略することで生産性を向上できる、金型及びこの金型を用いたメッシュ一体型フィルターの製造方法を提供することを目的とする。
【課題を解決するための手段】
【００１０】
本発明の第１の観点係る金型は、下部ボディー、前記下部ボディーから上方側に突出するように設けられた突出ピン、前記下部ボディーにスライド自在に設けられて前進し、前記突出ピンの周囲を取り囲む複数のスライダー、前記各スライダーの上方を覆うように備えられ、前記突出ピンと前記スライダーとの間に樹脂液が注入されるように注入孔が形成された上部ボディー、及び樹脂液の硬化の際にメッシュ一体型フィルターを形成するための成形部、を備える。
【００１１】
前記成形部は、前記突出ピンの軸方向に沿って、その周面から互いに平行に並んで突出した縦ストリップ、及び前記各スライダーの内側面から前記縦ストリップと傾斜するように突出し、前記縦ストリップと接近する横ストリップ、を備えていてもよい。
【００１２】
前記各スライダーは、前記メッシュ一体型フィルターを軸方向で補強するための補強リブが形成されるように、前記突出ピンの周方向に空間を画成していてもよい。
【００１３】
前記各スライダーには、樹脂液の流動性を確保するために、前記突出ピンの周方向に前記横ストリップが不連続的に形成されていてもよい。
【００１４】
前記各横ストリップの両端部に曲面部が形成されていてもよい。
【００１５】
前記各スライダーには、複数のスライド板が上下に積層されて固定されることで、前記横ストリップが配列されていてもよい。
【００１６】
前記突出ピンは、上方側から下方側に向けて徐々に大きくなる外径を有する形状に形成されていてもよい。
【００１７】
前記突出ピンは、前記下部ボディーに昇降可能に設けられていてもよい。
【００１８】
本発明の別の観点に係るメッシュ一体型フィルターの製造方法は、下部ボディーから上方側に突出した突出ピンを取り囲むように、成形型のスライダーを前進させること、前記突出ピンと、前記スライダーの上面と、に接触するように、前記成形型の上部ボディーを下降させることと、前記上部ボディーに貫通形成された注入孔を通して樹脂液を注入し、前記突出ピンと前記スライダーとの間の隙間を樹脂液で充填することと、樹脂液を硬化させ、互いに近接する前記突出ピンの縦ストリップと前記スライダーの横ストリップとによってメッシュ一体型フィルターを形成することと、を備える。
【００１９】
樹脂液の硬化後に、前記上部ボディーと前記スライダーとを移動させることと、前記突出ピンを前記下部ボディーの下方側に下降させることで前記突出ピンから前記メッシュ一体型フィルターを分離させることと、をさらに備えていてもよい。
【発明の効果】
【００２０】
以上説明したように、本発明に係る金型及びこれを用いたメッシュ一体型フィルターの製造方法は、従来技術とは異なり、金型の閉状態でメッシュ一体型フィルターを製造し、メッシュとフィルターを別途に組み立てる工程を省略することで生産性を向上させることができる。
【図面の簡単な説明】
【００２１】
【図１】本発明の一実施形態に係るメッシュ一体型フィルターの斜視図である。
【図２】本発明の一実施形態に係るメッシュ一体型フィルターの切断図である。
【図３】本発明の一実施形態に係るメッシュ一体型フィルター製造用金型の斜視図である。
【図４】本発明の一実施形態に係るメッシュ一体型フィルター製造用金型の分解斜視図である。
【図５】本発明の一実施形態に係るメッシュ一体型フィルター製造用金型の縦断面図である。
【図６】本発明の一実施形態に係るメッシュ一体型フィルター製造用金型内のストリップを有する突出ピンと、スライダーの拡大図である。
【図７】本発明の一実施形態に係るメッシュ一体型フィルター製造用金型内のストリップを有する突出ピンと、スライダーの閉状態を示す平面図である。
【図８】本発明の他の実施形態に係るメッシュ一体型フィルター製造用金型のスライダーの斜視図である。
【図９】図８のスライダーの断面図である。
【図１０】本発明の更に他の実施形態に係るメッシュ一体型フィルター製造用金型のスライダーの斜視図である。
【図１１】図１０のスライダーの断面図である。
【図１２】本発明に係るスライダーの他の実施形態を示す図である。
【図１３】図１２の分解斜視図である。
【図１４】本発明の一実施形態に係るメッシュ一体型フィルター製造用金型の突出ピンの正面図である。
【図１５】本発明の一実施形態に係るメッシュ一体型フィルターの製造方法を示すフローチャートである。
【発明を実施するための形態】
【００２２】
以下、添付の各図面を参照して本発明の実施形態に係る金型及びこれを用いたメッシュ一体型フィルターの製造方法を説明する。図面は正確な大きさを示すものでなく、各線の太さや構成要素の大きさなどは、説明の便宜上と明瞭性とから、誇張される場合がある。また、後述する各用語は、発明を開示するにあたっての機能を考慮して定義されており、使用者及び操作者の慣例又は意図によって変更され得る。したがって、これらの用語は、本明細書全般の記載に基づいて定義されるべきである。
【００２３】
図１は、本発明の一実施形態に係るメッシュ一体型フィルターの斜視図であり、図２は、本発明の一実施形態に係るメッシュ一体型フィルターの切断図である。
【００２４】
図３は、本発明の一実施形態に係るメッシュ一体型フィルター製造用金型の斜視図であり、図４は、本発明の一実施形態に係るメッシュ一体型フィルター製造用金型の分解斜視図であり、図５は、本発明の一実施形態に係るメッシュ一体型フィルター製造用金型の縦断面図である。
【００２５】
図６は、本発明の一実施形態に係るメッシュ一体型フィルター製造用金型内のストリップを有する突出ピンと、スライダーの拡大図であり、図７は、本発明の一実施形態に係るメッシュ一体型フィルター製造用金型内のストリップを有する突出ピンと、スライダーの閉状態を示す平面図である。
【００２６】
図８は、本発明の他の実施形態に係るメッシュ一体型フィルター製造用金型のスライダーの斜視図であり、図９は、図８のスライダーの断面図である。
【００２７】
図１０は、本発明の更に他の実施形態に係るメッシュ一体型フィルター製造用金型のスライダーの斜視図であり、図１１は、図１０のスライダーの断面図である。
【００２８】
図１２は、本発明に係るスライダーの他の実施形態を示す図であり、図１３は、図１２の分解斜視図である。
【００２９】
図１４は、本発明の一実施形態に係るメッシュ一体型フィルター製造用金型の突出ピンの正面図である。
【００３０】
図１５は、本発明の一実施形態に係るメッシュ一体型フィルターの製造方法を示すフローチャートである。
【００３１】
図３、図４及び図５に示すように、本発明の一実施形態に係る、メッシュ一体型フィルター２を製造する金型は、下部ボディー１１０、突出ピン１２０、スライダー１３０、上部ボディー１４０及び成形部１５０を含む。
【００３２】
具体的には、メッシュ一体型フィルター２は、ブレーキシステム用ソレノイドバルブのフィルター組立体に適用され、作動油をフィルタリングする役割を果たす。さらに、メッシュ一体型フィルター２は、ＥＳＰ（Ｅｌｅｃｔｒｏｎｉｃ Ｓｔａｂｉｌｉｔｙ Ｐｒｏｇｒａｍ）、ＶＤＣ（Ｖｅｈｉｃｌｅ Ｄｙｎａｍｉｃ Ｃｏｎｔｒｏｌ）、ＤＳＣ（Ｄｙｎａｍｉｃ Ｓｔａｂｉｌｉｔｙ Ｃｏｎｔｒｏｌ）、ＶＳＣ（Ｖｅｈｉｃｌｅ Ｓｋｉｄ Ｃｏｎｔｒｏｌ）、ＥＳＣ（Ｅｌｅｃｔｒｏｎｉｃ Ｓｔａｂｉｌｉｔｙ Ｃｏｎｔｒｏｌ）などの設備に適用可能である。
【００３３】
図１及び図２に示すように、メッシュ一体型フィルター２は、円形又は多角形の管状のものであり、上側リム３と、下側リム５と、上側リム３と下側リム５とに接続される補強リブ７と、各補強リブ７間に形成されるメッシュ部９とを含んで構成される。上側リム３、下側リム５及び補強リブ７は、メッシュ一体型フィルター２の剛性を向上し、メッシュ一体型フィルター２の形状を維持する役割を果たす。また、メッシュ部９は、作動油をフィルタリングする役割を果たす。メッシュ部９は網状のものである。
【００３４】
下部ボディー１１０は、金型１００の下部に配置され、スライダー１３０と上部ボディー１４０とを支持する役割を果たす。
【００３５】
突出ピン１２０は、下部ボディー１１０に上方に突出するように設けられる。突出ピン１２０は、成形されるメッシュ一体型フィルター２の内部形状を形成する役割を果たすものであって、所望されるメッシュ一体型フィルター２の内部形状に合うように、円柱状又は多角柱状に形成される。
【００３６】
さらに、複数のスライダー１３０が、下部ボディー１１０にスライド自在に設けられて前進することで、突出ピン１２０の周囲を取り囲んでいる。スライダー１３０は、成形されるメッシュ一体型フィルター２の外部形状を形成する役割を果たすものであり、所望されるメッシュ一体型フィルター２の外部形状に合う内側面を有する。便宜上、各スライダー１３０の内側面が窪んだ弧状に形成されている場合を示す。そして、スライダー１３０は、２個設けられる場合を示すが、本発明ではその個数は限定されない。
【００３７】
このとき、スライダー１３０は、シリンダーなどによって前後移動可能に設置される。
【００３８】
具体的には、スライダー１３０は、下部ボディー１１０に安定して直線状に前後移動できるように設置されている。この構造によって、射出成形後のメッシュ一体型フィルター２の不良が防止される。
【００３９】
このようにして、突出ピン１２０は下部ボディー１１０にしっかりと固定される。
【００４０】
スライダー１３０は、直線状に前後移動できるように下部ボディー１１０に連結されている。具体的には、下部ボディー１１０には、スライダー１３０が載置される位置決め凹部１１２が形成され、その内側面から突出するガイド突起１１４が対向している。スライダー１３０には、ガイド突起１１４と直線状に往復移動可能に嵌合するガイド溝１３４が形成されている。
【００４１】
詳細には、下部ボディー１１０には、位置決め凹部１１２の内側で直線状に往復スライド移動するスライダー１３０の移動を停止するストッパ（図示せず）を別途設けることもできる。
【００４２】
上部ボディー１４０は、スライダー１３０が突出ピン１２０の周囲を取り囲んでいる状態で、スライダー１３０及び突出ピン１２０の上方を覆う。また、突出ピン１２０とスライダー１３０との間の隙間に樹脂液を注入できるように、上部ボディー１４０を貫通して注入孔１４２が形成されている。
【００４３】
上部ボディー１４０は、シリンダーなどの多様な線形アクチュエータによって昇降可能である。そして、上部ボディー１４０には、突出ピン１２０とスライダー１３０との間の隙間に樹脂液を注入できるように、注入孔１４２が形成されるが、注入孔１４２の形成位置及び個数は限定されない。当然ながら、注入孔１４２は開状態又は閉状態のいずれかとなる。
【００４４】
スライダー１３０が突出ピン１２０の周囲を取り囲んでいる状態で、樹脂液が突出ピン１２０とスライダー１３０との間の隙間に注入され、その後に硬化することだけで、メッシュ一体型フィルター２が形成されることが望ましい。詳細には、メッシュ一体型フィルター２のメッシュ部９は、樹脂液が硬化することだけで形成されることが望ましい。
【００４５】
そのため、樹脂液が硬化することのみでメッシュ一体型フィルター２を形成するための成形部１５０が設けられている。
【００４６】
図６及び図７に示すように、成形部１５０は、縦ストリップ１５２と横ストリップ１５４とを含んでいる。
【００４７】
縦ストリップ１５２は、突出ピン１２０の軸方向に沿って、その周面から平行に並んだ状態で突出形成されている。すなわち、縦ストリップ１５２は、突出ピン１２０の周面方向に形成される起伏である。詳細には、縦ストリップ１５２は突出ピン１２０の周面に一体に形成されている。当然ながら、縦ストリップ１５２の数、即ち、各縦ストリップ１５２間のピッチ間隔は限定されない。
【００４８】
さらに、横ストリップ１５４は、各スライダー１３０の内側面に突出形成され、突出ピン１２０に対向している。詳細には、横ストリップ１５４は、縦ストリップ１５２に対して傾斜した状態で、互いに平行に並ぶように配置される。下部ボディー１１０から突出ピン１２０に向けた各スライダー１３０の前進が完了すると、縦ストリップ１５２が横ストリップ１５４に接近するようになる。このため、樹脂液が、スライダー１３０と突出ピン１２０との間の隙間に充填され、互いに接近した縦ストリップ１５２と横ストリップ１５４との間の接近部で硬化することのみで、メッシュ部９が形成される。
【００４９】
便宜上、縦ストリップ１５２と横ストリップ１５４とが互いに直交して配置されている場合を示す。当然ながら、横ストリップ１５４の数、すなわち、各横ストリップ１５４間のピッチ間隔は限定されない。
【００５０】
スライダー１３０が突出ピン１２０の周囲を取り囲んでいる状態で、樹脂液が、突出ピン１２０とスライダー１３０との間の隙間に注入され、その後に硬化することのみで、メッシュ一体型フィルター２の補強リブ７が形成されることが望ましい。
【００５１】
このため、スライダー１３０によって、突出ピン１２０の周方向に沿う空間１３２が画定される。これにより、樹脂液が空間１３２に充填され、その後に硬化することのみで、補強リブ７が形成される。
【００５２】
その結果として、各スライダー１３０には、突出ピン１２０の周方向に沿って横ストリップ１５４が不連続的に形成される。これによって、樹脂液の流動性を確保しながら、メッシュ一体型フィルター２の補強リブ７が形成される。即ち、樹脂液は、横ストリップ１５４を不連続的に形成しながら、各横ストリップ１５４間に画成される空間１３２を通ってスライダー１３０と突出ピン１２０との間の隙間に進入する。その結果、樹脂液は、縦ストリップ１５２と横ストリップ１５４との接近部に流入した後に硬化し、メッシュ部９が形成される。
【００５３】
また、横ストリップ１５４の両端部には、曲面部１５５が形成される。これにより、複数のスライダー１３０の端面同士が互いに接触した状態で、スライダー１３０と突出ピン１２０との間の隙間に注入される樹脂液の通路が確保される。
【００５４】
金型の閉状態で樹脂液がスライダー１３０と突出ピン１２０との間に注入されて硬化すると、メッシュ一体型フィルター２が形成される。
【００５５】
この金型の閉状態とは、各スライダー１３０が前進し、各スライダー１３０の横ストリップ１５４と、突出ピン１２０の縦ストリップ１５２とが接近しており、かつ上部ボディー１４０が各スライダー１３０と突出ピン１２０とを覆っている状態をいう。
【００５６】
その後、金型の開状態でメッシュ一体型フィルター２が露出する。この金型の開状態とは、上部ボディー１４０が上昇するとともに、スライダー１３０が後退した状態をいう。
【００５７】
詳細には、メッシュ一体型フィルター２は、突出ピン１２０上に積み重ねられている状態になる。そのため、操作者がメッシュ一体型フィルター２を引き上げると、メッシュ一体型フィルター２が破損してしまう。
【００５８】
このため、突出ピン１２０は、下部ボディー１１０に上下移動可能に設けられることが望ましい。即ち、金型の開状態で、突出ピン１２０が下部ボディー１１０から下方に下降すると、メッシュ一体型フィルター２は下部ボディー１１０の上方に位置するようになる。
【００５９】
ここで、突出ピン１２０は、シリンダーなどの昇降部材１２２によって上下移動可能になる。さらに、突出ピン１２０は、昇降部材１２２と一体に形成することもできるし、多様な態様で昇降部材１２２に分離可能に連結することもできる。
【００６０】
各スライダー１３０の内側面に横ストリップ１５４が一定間隔だけ離隔して形成されていることで、各横ストリップ１５４間に、溝１３５が形成される。なお、各スライダー１３０は、一つのブロックから形成されていても、複数のブロックが上下に積層して形成されていてもよい。
【００６１】
図８及び図９に示すように、他の形態では、各スライダー１３０には、複数のスライド板１３７が上下に積層されて固定されることで、複数の横ストリップ１５４が配列されてもよい。
【００６２】
具体的には、複数のスライド板１３７が上下に積層されるときに、横ストリップ１５４と溝１３５とが連続して形成されるように、スライド板１３７は、縦方向に交互に突出ピン１２０方向に突出するように配置される。
【００６３】
このとき、図示しないが、スライド板１３７は、ボルトによる連結などの多様な態様で積層された状態で互いに連結されていてもよい。
【００６４】
さらに、図１０及び図１１に示すように、更に他の形態では、スライダー１３０は、複数のスライド板１３７が上下に積層されて構成されることで、複数の横ストリップ１５４が配列される。
【００６５】
具体的には、複数のスライド板１３７が上下に積層されるとき、横ストリップ１５４と溝１３５とが連続して形成されるように、各スライド板１３７には一つの横ストリップ１５４と一つの溝１３５とが含まれる。そのため、スライド板１３７が上下に積層されると、横ストリップ１５４と溝１３５とが縦方向に連続して配置される。
【００６６】
このとき、図示しないが、複数のスライド板１３７は、ボルトによる連結などの多様な態様によって上下に積層された状態で互いに連結されていてもよい。
【００６７】
複数のスライド板１３７が積層されることでスライダー１３０を構成するときに空間１３２が形成されるように、各スライド板１３７の所定の部位が表面から凹むように形成される。
【００６８】
当然ながら、各スライド板１３７の横ストリップ１５４の両端部には曲面部１５５が形成される。
【００６９】
図１２及び図１３に示すように、他の態様では、スライダー１３０には、上板１３１、下板１３３、ホルダー１３６及び加工ツール１３８が含まれる。
【００７０】
上板１３１と下板１３３は、ホルダー１３６と加工ツール１３８における対応する上方側と下方側とに面接触し、積層された状態を維持する役割を果たす。すなわち、図示しないが、上板１３１、ホルダー１３６及び下板１３３は、ボルトなどによって互いに連結される。
【００７１】
さらに、ホルダー１３６は、加工ツール１３８が挿入されて固定する役割を果たすものであり、加工ツール１３８の正面側には横ストリップ１５４が形成される。このとき、加工ツール１３８の正面側に横ストリップ１５４が形成されるので、加工ツール１３８の正面側は凹状に形成される。このため、上板１３１及び下板１３３の対応する部位も凹状に形成される。
【００７２】
具体的には、ホルダー１３６の対向する内側面には嵌め突起１３６ａが突出形成され、加工ツール１３８には、嵌め突起１３６ａに対応する位置に嵌め溝１３８ａが形成される。このため、加工ツール１３８は、ホルダー１３６に分離可能に装着される。この結果、加工ツール１３８は、破損又は摩耗した際に容易に取り替えることができる。
【００７３】
図１４に示すように、突出ピン１２０は円錐台形状に形成され、外径が上部から下部に向けて徐々に大きくなっている。
【００７４】
すなわち、突出ピン１２０は、下方側から上方側に、鉛直線に対して所定角度θだけ傾斜して形成され、上方ほど断面積が減少する。この構造により、突出ピン１２０が下降することで、メッシュ一体型フィルター２が容易に離脱するようになる。
【００７５】
このとき、突出ピン１２０と縦ストリップ１５２は、防錆、強度向上、及びメッシュ一体型フィルター２からの離脱の容易性の観点から、めっき処理することもできる。具体的には、突出ピン１２０と縦ストリップ１５２は、クロムやチタンなどの多様な金属でめっき処理することができる。
【００７６】
さらに、縦ストリップ１５２は、突出ピン１２０の表面に対して所定角度θだけ傾斜させることができる。すなわち、突出ピン１２０が円錐台形状になるように、縦ストリップ１５２は、下方側から上方側に向けて突出ピン１２０の表面に対して所定角度θだけ傾斜するように形成することができる。
【００７７】
さらに詳細には、突出ピン１２０は、それ自体を円錐台形状に形成することもできるし、突出ピン１２０を円柱状とし、縦ストリップ１５２の幅を上方で狭く、下方で広くなるように形成することもできる。
【００７８】
図１５を参照すると、本発明の一形態に係るメッシュ一体型フィルター２の製造方法は、スライダー前進段階（Ｓ１０）、金型の閉段階（Ｓ２０）、樹脂液供給段階（Ｓ３０）、フィルター製作段階（Ｓ４０）、金型の開段階（Ｓ５０）、及び、突出ピン下降段階（Ｓ６０）を含む。
【００７９】
スライダー前進段階（Ｓ１０）は、下部ボディー１１０から上方側に突出した突出ピン１２０を取り囲むように、スライダー１３０を前進させる工程である。これにより、スライダー１３０は、シリンダーによって突出ピン１２０に向けて前進するようになる。このとき、スライダー１３０は、横ストリップ１５４が突出ピン１２０の縦ストリップ１５２に接触したり、横ストリップ１５４が設定距離だけ前進した後に停止する。
【００８０】
金型の閉段階（Ｓ２０）は、突出ピン１２０と、スライダー１３０の上面と、に接触するように、上部ボディー１４０を下降させる工程である。
【００８１】
このとき、上部ボディー１４０は、シリンダーなどによって下降する。
【００８２】
樹脂液供給段階（Ｓ３０）は、樹脂液を、上部ボディー１４０に貫通形成された注入孔１４２を通して注入し、突出ピン１２０とスライダー１３０との間の隙間に充填する工程である。
【００８３】
フィルター製作段階（Ｓ４０）は、突出ピン１２０とスライダー１３０との間に充填された樹脂液を硬化させることだけで、互いに接近した突出ピン１２０の縦ストリップ１５２と、スライダー１３０の横ストリップ１５４と、によってメッシュ一体型フィルター２を形成する工程である。
【００８４】
当然ながら、メッシュ一体型フィルター２には、突出ピン１２０とスライダー１３０との間の隙間に充填された樹脂液が硬化することのみによって、縦ストリップ１５２と横ストリップ１５４とによって形成されるメッシュ部９を支持して補強するための、上側リム３、下側リム５及び補強リブ７が形成される。
【００８５】
さらに、金型の開段階（Ｓ５０）は、金型が閉状態になるときに上部ボディー１４０とスライダー１３０とが移動する方向とは反対の方向に、上部ボディー１４０とスライダー１３０とを移動させる工程である。このとき、樹脂液が完全に硬化されてメッシュ一体型フィルター２が形成され、その後に上部ボディー１４０とスライダー１３０とが移動する。このため、メッシュ一体型フィルター２は、突出ピン１２０を覆った状態で下部ボディー１１０の上方側に露出する。
【００８６】
突出ピン下降段階（Ｓ６０）は、突出ピン１２０を下部ボディー１１０の下方側に下降させることで突出ピン１２０からメッシュ一体型フィルター２を分離する工程である。
【００８７】
このとき、突出ピン１２０及び縦ストリップ１５２は、クロムめっき処理されているので、メッシュ一体型フィルター２から容易に分離される。このため、メッシュ一体型フィルター２は、成形された状態が維持され、成形不良が防止される。
【００８８】
本発明は、図面に示す実施形態を参考にして説明したが、これは例示的なものに過ぎず、当該技術分野で通常の知識を有する者なら、多様な変形及び均等な他の形態が可能であることを理解するであろう。したがって、本発明の真の技術的保護範囲は、下記の特許請求の範囲及びその均等範囲によって定めるべきである。
【図１】
2013545645.tif 000003
【図２】
2013545645.tif 000004
【図３】
2013545645.tif 000005
【図４】
2013545645.tif 000006
【図５】
2013545645.tif 000007
【図６】
2013545645.tif 000008
【図７】
2013545645.tif 000009
【図８】
2013545645.tif 000010
【図９】
2013545645.tif 000011
【図１０】
2013545645.tif 000012
【図１１】
2013545645.tif 000013
【図１２】
2013545645.tif 000014
【図１３】
2013545645.tif 000015
【図１４】
2013545645.tif 000016
【図１５】
2013545645.tif 000017
【国際調査報告】
2013545645.tif 000018
2013545645.tif 000019
2013545645.tif 000020
2013545645.tif 000021